(57)【特許請求の範囲】
【請求項１】
撮影光学系を介して被写体像を撮像する撮像素子からの撮像信号に基づく複数のフレーム画像を順次記憶する記憶部と、
静止画撮影指示に応じて前記撮影光学系を駆動する光学系駆動部と、
前記静止画撮影指示があった時刻を含む所定時間の間に前記記憶部によって記憶された前記複数のフレーム画像に基づいて、時系列に再生される画像データを生成する動画データ生成部と、
前記所定時間の間に前記記憶部によって記憶された前記複数のフレーム画像のうち少なくとも１つのフレーム画像に基づいて、少なくとも１つの静止画データを生成する静止画データ生成部と、を備え、
前記動画データ生成部は、前記複数のフレーム画像のうち前記記憶部によって単位時間に記憶されるフレーム画像の数を示す第１フレームレートより少ない第２フレームレートで再生されるスローモーション動画データを生成し、
前記静止画データ生成部は、前記光学系駆動部による前記撮影光学系の駆動前に前記記憶部によって記憶されたフレーム画像、および前記撮影光学系の駆動後に前記記憶部によって記憶されたフレーム画像に基づいて、前記少なくとも１つの静止画データを生成することを特徴とする撮像装置。
【請求項２】
請求項１に記載の撮像装置において、
前記静止画データ生成部によって生成される前記少なくとも１つの静止画データは２つの静止画データを含み、
前記静止画データ生成部は、前記光学系駆動部による前記撮影光学系の駆動前に前記記憶部によって記憶されたフレーム画像に基づいて、前記２つの静止画データのうちの一方の静止画データを生成し、且つ前記撮影光学系の駆動後に前記記憶部によって記憶されたフレーム画像に基づいて、前記２つの静止画データのうちの他方の静止画データを生成することを特徴とする撮像装置。
【請求項３】
請求項１または２に記載の撮像装置において、
前記動画データ生成部により生成された前記スローモーション動画データ及び前記静止画データ生成部により生成された前記少なくとも１つの静止画データを、互いに関連付けて記録媒体に記録する記録制御部をさらに備えることを特徴とする撮像装置。
【請求項４】
請求項１〜３のいずれか一項に記載の撮像装置において、
前記光学系駆動部は、静止画撮影指示に応じて前記撮影光学系の焦点調節レンズおよび変倍レンズの少なくとも１つを駆動することを特徴とする撮像装置。
【請求項５】
請求項１〜４のいずれか一項に記載の撮像装置において、
露出値またはホワイトバランス値の少なくとも一方を変更する変更手段を更に有し、
前記変更手段は、前記複数のフレーム画像が前記記憶部によって順次記憶される前記所定時間の間に、前記変更手段による変更動作を行うことを特徴とする撮像装置。
【発明の詳細な説明】
【技術分野】
【０００１】
本発明は、撮像装置に関する。
【背景技術】
【０００２】
従来技術として、例えば特許文献１に開示される撮像装置が知られている。その撮像装置は、ズームレンズの移動時に高フレームレートで動画記録するとともに、ズームレンズの非移動時に低フレームレートで動画記録する。その撮像装置は、再生時において、低フレームレートで記録したフレームは低フレームレートのまま再生し、高フレームレートで記録したフレームはスロー再生する。
【先行技術文献】
【特許文献】
【０００３】
【特許文献１】特開２０１０−２７２９９９号公報
【発明の概要】
【発明が解決しようとする課題】
【０００４】
静止画の撮影指示をきっかけに動画記録する場合への従来技術の適用は困難である。
【課題を解決するための手段】
【０００５】
請求項１の発明による撮像装置は、撮影光学系を介して被写体像を撮像する撮像素子からの撮像信号に基づく複数のフレーム画像を順次記憶する記憶部と、静止画撮影指示に応じて前記撮影光学系を駆動する光学系駆動部と、前記静止画撮影指示があった時刻を含む所定時間の間に前記記憶部によって記憶された前記複数のフレーム画像に基づいて、時系列に再生される画像データを生成する動画データ生成部と、前記所定時間の間に前記記憶部によって記憶された前記複数のフレーム画像のうち少なくとも１つのフレーム画像に基づいて、少なくとも１つの静止画データを生成する静止画データ生成部と、を備え、前記動画データ生成部は、前記複数のフレーム画像のうち前記記憶部によって単位時間に記憶されるフレーム画像の数を示す第１フレームレートより少ない第２フレームレートで再生されるスローモーション動画データを生成し、前記静止画データ生成部は、前記光学系駆動部による前記撮影光学系の駆動前に前記記憶部によって記憶されたフレーム画像、および前記撮影光学系の駆動後に前記記憶部によって記憶されたフレーム画像に基づいて、前記少なくとも１つの静止画データを生成することを特徴とする。
【発明の効果】
【０００６】
本発明によれば、静止画の撮影タイミングに合わせて、自動的に印象的な映像効果を有する時系列画像を得ることができる。
【図面の簡単な説明】
【０００７】
【図１】本発明の第一の実施の形態によるデジタルカメラの構成を例示するブロック図である。
【図２】スロー動画撮影モードにおける画像の取得タイミングを説明する図である。
【図３】第１フォーカス検出ポイントの設定を説明する図である。
【図４】第２フォーカス検出ポイントの設定を説明する図である。
【図５】ＣＰＵが実行する処理の流れを説明するフローチャートである。
【図６】第二の実施の形態によるデジタルカメラのＣＰＵが実行する処理の流れを説明するフローチャートである。
【図７】液晶モニタに表示されるマークを例示する図である。
【図８】ズームインされた画像を例示する図である。
【図９】第三の実施の形態によるデジタルカメラにおける第１フォーカス検出ポイントの設定を説明する図である。
【図１０】第三の実施の形態によるデジタルカメラにおける第２フォーカス検出ポイントに対するピント合わせを説明する図である。
【発明を実施するための形態】
【０００８】
以下、図面を参照して本発明を実施するための形態について説明する。
（第一の実施形態）
図１は、本発明の第一の実施の形態によるデジタルカメラ１の構成を例示するブロック図である。図１において、撮影レンズ１１は、撮像素子１２の撮像面１２ａに被写体像を結像させる。なお、図１に示すデジタルカメラ１は、撮影レンズ１１がカメラと一体的に形成され、撮影レンズが着脱不能なデジタルカメラである。しかしながら、後述するデジタルカメラ１の構成を、カメラボディと、そのカメラボディに着脱可能な交換レンズからなるカメラシステムに適用することも可能である。その場合、図１の撮影レンズ１１、レンズ駆動部２１が交換レンズに含まれ、撮像素子１２、画像処理部１４、液晶モニタ１５、ＣＰＵ１６、バッファメモリ１８、記録再生部１９、操作部材２０がカメラボディに含まれる。
【０００９】
ＣＰＵ１６は、図示しないシャッターボタンの半押し操作に連動して半押しスイッチ２０ａがオンすると、オートフォーカス（ＡＦ）処理を行い、撮影レンズ１１を構成するフォーカシングレンズ（不図示）を光軸方向（図１において矢印方向）に進退移動させる。これにより、撮影レンズ１１の焦点位置が自動調節される。フォーカシングレンズ（不図示）の駆動は、ＣＰＵ１６から指示を受けたレンズ駆動部２１によって行われる。
【００１０】
ＡＦ処理は、撮像面位相差検出方式によって行われる。このため、撮像素子１２はフォーカス検出用の画素を有している。フォーカス検出用画素は、例えば日本国特開２００７−３１７９５１号公報に記載されている焦点検出画素と同様である。ＣＰＵ１６は、フォーカス検出用画素からの出力信号を用いて位相差検出演算を行うことにより、撮影レンズ１１の焦点調節状態（具体的にはデフォーカス量）を検出する。この位相差検出演算は、例えば上記日本国特開２００７−３１７９５１号公報に記載の焦点検出動作と同様であるため、説明を省略する。
【００１１】
また、ＣＰＵ１６は、後述する操作部材２０に含まれるズームスイッチ（不図示）から操作信号が入力された場合、または事前設定されている画角情報に基づいてスローモーション動画が撮影される場合において、撮影レンズ１１に含まれるズームレンズ（不図示）を光軸方向に進退移動させる。これにより、撮影画角が調節される。ズームレンズ（不図示）の駆動も、ＣＰＵ１６から指示を受けたレンズ駆動部２１が行う。スローモーション動画の詳細については後述する。
【００１２】
撮像素子１２は、ＣＭＯＳイメージセンサなどによって構成される。撮像素子１２は、撮像面１２ａ上に結像された被写体像をアナログ撮像信号に光電変換する。撮像素子１２から出力されたアナログ撮像信号は、Ａ／Ｄ変換部１３によってデジタル画像データに変換される。画像処理部１４は、デジタル画像データに対して所定の画像処理を行って画像データを生成する。
【００１３】
液晶モニタ１５は、ＣＰＵ１６からの指示に応じて、画像や操作メニュー画面を表示する。不揮発性メモリ１７は、ＣＰＵ１６が実行するプログラムや、プログラム実行処理に必要なデータなどを格納する。不揮発性メモリ１７が格納するプログラムやデータの内容は、ＣＰＵ１６からの指示によって追加されること、および／または変更されることが可能である。ＣＰＵ１６は、例えばバッファメモリ１８を作業領域として制御プログラムを実行し、カメラ各部に対する種々の制御を行う。
【００１４】
バッファメモリ１８は、ＣＰＵ１６からの制御に応じてデジタル画像データを一時的に記憶する。本実施形態では、バッファメモリ１８は、撮影指示（シャッターボタンの全押し操作）前に撮像素子１２によって所定のフレームレートで取得される先撮り画像を、一時的に記憶する（バッファリングする）。先撮り画像については後述する。
【００１５】
画像処理部１４は、デジタル画像データに対する画像処理を行う以外にも、画像データを格納した所定形式の画像ファイル（例えば Exif ファイル）を生成する。記録再生部１９は、ＣＰＵ１６からの指示に基づいて、画像ファイルをメモリカード５０に記録し、また、メモリカード５０に記録されている画像ファイルを読み出す。
【００１６】
メモリカード５０は、図示しないカードスロットに着脱できる記録媒体である。ＣＰＵ１６は、記録再生部１９によってメモリカード５０から読み出された画像ファイルに基づいて、液晶モニタ１５に撮影画像を再生表示させる。
【００１７】
操作部材２０は、上記半押しスイッチ２０ａ（スイッチＳ１）、シャッターボタンの全押し操作に伴ってオンされる全押しスイッチ２０ｂ（スイッチＳ２）、動画撮影スイッチ、およびモード切替えスイッチなどの複数の部材を含み、ユーザーによるそれら複数の部材の各部材の操作に伴う操作信号をＣＰＵ１６へ送出する。
【００１８】
半押しスイッチ２０ａからのオン信号（半押し操作信号）は、シャッターボタンが通常ストロークの半分程度まで押し下げ操作されると出力される。半ストロークの押し下げ操作解除で半押し操作信号の出力が解除される。全押しスイッチ２０ｂからのオン信号（全押し操作信号）は、シャッターボタンが通常ストロークまで押し下げ操作されると出力され、通常ストロークの押し下げ操作が解除されると全押し操作信号の出力が解除される。
【００１９】
＜撮影モード＞
デジタルカメラ１において、静止画撮影モードと、動画撮影モードと、スロー動画撮影モードとが、上記モード切替えスイッチによって切替え可能である。静止画撮影モードは、撮像素子１２が上記全押し操作信号に応じて画像を取得し、撮像素子１２が取得した画像に基づいて画像処理部１４が生成した静止画データを、記録再生部１９がメモリカード５０へ記録するモードである。
【００２０】
動画撮影モードは、上記動画撮影スイッチ（不図示）からの操作信号に応じて撮像素子１２が複数フレームの画像を取得し、該複数フレームの画像に基づいて画像処理部１４が生成した動画データを、記録再生部１９がメモリカード５０へ記録するモードである。
【００２１】
スロー動画撮影モードは、上記全押し操作信号の前後の所定時間に撮像素子１２が取得した複数フレームの画像に基づいて、画像処理部１４がスローモーション動画データおよび静止画データをそれぞれ生成し、記録再生部１９が該スローモーション動画データおよび静止画データを互いに関連づけてメモリカード５０へ記録するモードである。本説明では、取得時のフレームレートより遅いフレームレートで再生される動画データのことをスローモーション動画データと呼ぶ。本実施形態では、記録再生部１９が、ＣＰＵ１６からの指示に基づいて、例えば６０フレーム／秒(fps)で取得された複数フレームの画像から、２４フレーム／秒（fps）で再生するスローモーション動画データを生成する。
【００２２】
本実施の形態によるデジタルカメラ１は、スロー動画撮影モードに特徴を有するので、以下の説明はスロー動画撮影モードを中心に行う。図２は、スロー動画撮影モードにおける画像の取得タイミングを説明する図である。
【００２３】
＜フォーカス検出ポイントの設定＞
図２において、時刻ｔ０においてスロー動画撮影モードに切替え操作されると、ＣＰＵ１６は、液晶モニタ１５にライブビュー画像の表示を開始させる。ＣＰＵ１６は、例えば６０フレーム／秒(60fps)のフレームレートで撮像素子１２に被写体像を撮像させ、得られたデジタル画像データに基づく再生画像をライブビュー画像として液晶モニタ１５に逐次表示させる。また、ＣＰＵ１６は、デジタル画像データに基づいて露出演算を行いながら、露出が適正になるように露出制御を行う。
【００２４】
液晶モニタ１５がライブビュー画像を表示中、ＣＰＵ１６は、シャッターボタンの半押し操作時に行われる１回目のＡＦ処理の対象として第１フォーカス検出ポイントが設定される操作が行われると、その操作を受け付ける。第１フォーカス検出ポイントの設定は、図３に例示するように、液晶モニタ１５によって表示されるライブビュー画像上で第１フォーカス検出ポイントを示すマークＭ１の位置が移動することによって行われる。マークＭ１の位置は、例えば操作部材２０に含まれる十字キー（不図示）の操作方向に応じて移動可能である。図３は、第１フォーカス検出ポイントの設定を説明する図である。本実施形態では、第１フォーカス検出ポイントが例えば近景被写体４１上に設定される。近景被写体４１は、遠景被写体４２とデジタルカメラ１との間に存在する。
【００２５】
ＣＰＵ１６はさらに、シャッターボタンの全押し操作時に行われる２回目のＡＦ処理の対象として第２フォーカス検出ポイントが設定される操作が行われると、その操作を受け付ける。第２フォーカス検出ポイントの設定は、図４に例示するように、液晶モニタ１５によって表示されるライブビュー画像上で第２フォーカス検出ポイントを示すマークＭ２の位置を移動させることによって行われる。第１フォーカス検出ポイントおよび第２フォーカス検出ポイントの設定切替えは、例えば操作部材２０を構成するフォーカス検出ポイント切替えスイッチ（不図示）の操作によって行う。図４は、第２フォーカス検出ポイントの設定を説明する図である。本実施形態では、第２フォーカス検出ポイントが例えば遠景被写体４２上に設定される。
【００２６】
＜ピント合わせおよび先撮り＞
図２の時刻ｔ１において、ユーザーによってシャッターボタンが半押し操作されると（スイッチＳ１オン）、ＣＰＵ１６は、上記第１フォーカス検出ポイントに対応するフォーカス検出用画素からの出力信号を用いて１回目のＡＦ処理を行う。具体的には、ＣＰＵ１６は、第１フォーカス検出ポイント（図３のマークＭ１の位置）に対応するフォーカス検出用画素からの出力信号を使ってＡＦ演算によりフォーカシングレンズ駆動量（デフォーカス量）を演算する。ＣＰＵ１６は、そのデフォーカス量に基づいて撮影レンズ１１のフォーカシングレンズをレンズ駆動部２１に駆動させることによって、図３に例示した近景被写体４１にピントを合わせる。このとき、本実施の形態では遠景被写体４２が被写界深度から外れ、遠景被写体４２にピントが合わない。ＣＰＵ１６は、近景被写体４１を対象に演算したデフォーカス量に基づく合焦位置へのフォーカシングレンズの移動が終了すると、バッファメモリ１８に対して撮像素子１２によって取得された画像データの記録（蓄積）を開始させる。これにより、６０フレーム／秒(60fps)のフレームレートで得られたフレーム画像が、逐次バッファメモリ１８に蓄積される。蓄積されるフレーム画像のピクセル数は、例えば３８４０（水平）×２１６０（垂直）である。
【００２７】
先撮り撮影のために使用されるバッファメモリ１８のメモリ容量として、あらかじめ十分な容量が確保されている。ＣＰＵ１６は、時刻ｔ１以降にバッファメモリ１８内に蓄積されたフレーム画像のフレーム枚数が所定枚数（例えば３００枚(５秒分)）に達した場合には、古いフレーム画像から順にバッファメモリ１８内に蓄積されたフレーム画像を上書き消去する。これにより、先撮り撮影のために使用されるバッファメモリ１８のメモリ容量を制限できる。
【００２８】
＜異なる被写体にピント合わせ＞
時刻ｔ２において、ユーザーによってシャッターボタンが全押し操作されると（スイッチＳ２オン）、ＣＰＵ１６は、上記第２フォーカス検出ポイントに対応するフォーカス検出用画素からの出力信号を用いて２回目のＡＦ処理を行う。具体的には、ＣＰＵ１６は、第２フォーカス検出ポイント（図４のマークＭ２の位置）に対応するフォーカス検出用画素からの出力信号を使ってＡＦ演算によりフォーカシングレンズ駆動量（デフォーカス量）演算する。ＣＰＵ１６は、そのデフォーカス量に基づいて撮影レンズ１１のフォーカシングレンズをレンズ駆動部２１に駆動させることによって、図４に例示した遠景被写体４２にピントを合わせる。このとき、本実施の形態では近景被写体４１が被写界深度から外れ、近景被写体４１にピントが合わない。本実施形態におけるフォーカス位置の移動動作（近景被写体４１に対する合焦状態から、遠景被写体４２に対する合焦状態への状態変化）は、時刻ｔ２に開始して、時刻ｔ２からｔ３までの間にＣＰＵ１６がレンズ駆動部２１にフォーカスレンズを継続駆動させることによって行われる。このフォーカス位置の変更動作中も、撮像素子１２による撮影動作、およびバッファメモリ１８による画像データの一次記憶（蓄積）動作は継続して行われる。本実施形態では、時刻ｔ２からｔ３までの所定時間Ｂを、例えば１秒とする。
【００２９】
＜後撮り＞
ＣＰＵ１６は、遠景被写体４２を対象に演算したデフォーカス量に基づく合焦位置へのフォーカシングレンズの移動が終了すると、時刻ｔ３においてＣＰＵ１６内部のタイマー回路（不図示）による計時を開始させる。ＣＰＵ１６は、タイマー回路による所定時間Ｃ（例えば０．５秒間）の計時が終了する時刻ｔ４において、バッファメモリ１８による画像データの蓄積を終了させる。
【００３０】
図５に例示するフローチャートを参照して、一連のスロー動画撮影時にＣＰＵ１６が実行する処理の流れを説明する。ＣＰＵ１６は、スロー動画撮影モードに切替え操作されると、図５の処理を行うプログラムを繰り返し実行する。図５のステップＳ１１において、ＣＰＵ１６は、液晶モニタ１５にライブビュー画像の表示を開始させて、シャッターボタンが半押し操作されたか否かを判定する。ＣＰＵ１６は、半押しスイッチ２０ａからの操作信号が入力された場合にステップＳ１１で肯定判定して、本処理をステップＳ１２へ進める。ＣＰＵ１６は、半押しスイッチ２０ａからの操作信号が入力されない場合には、ステップＳ１１で否定判定して当該判定処理を繰り返す。
【００３１】
ステップＳ１２において、ＣＰＵ１６は、上記１回目のＡＦ処理を開始し、第１被写体に合焦したか否かを判定する。ＣＰＵ１６は、合焦位置へフォーカシングレンズの移動が終了すると、ステップＳ１２で肯定判定して、本処理をステップＳ１３へ進める。これにより、近景被写体４１にピントが合う（図３）。ＣＰＵ１６は、フォーカシングレンズの移動が終了しない場合はステップＳ１２で否定判定して当該判定処理を繰り返す。
【００３２】
ステップＳ１３において、ＣＰＵ１６は、バッファメモリ１８に画像データの蓄積を開始させて、本処理をステップＳ１４へ進める。ステップＳ１４において、ＣＰＵ１６は、シャッターボタンが全押し操作されたか否かを判定する。ＣＰＵ１６は、全押しスイッチ２０ｂからの操作信号が入力された場合にステップＳ１４で肯定判定して、本処理をステップＳ１５へ進める。ＣＰＵ１６は、全押しスイッチ２０ｂからの操作信号が入力されない場合には、ステップＳ１４で否定判定して当該判定処理を繰り返す。
【００３３】
ステップＳ１５において、ＣＰＵ１６は、上記２回目のＡＦ処理を開始し、レンズ駆動部２１にフォーカシングレンズを所定時間Ｂ（例えば上述の１秒）かけて駆動させて、本処理をステップＳ１６へ進める。ステップＳ１６において、ＣＰＵ１６は、２回目のＡＦ処理で第２被写体に合焦したか否かを判定する。ＣＰＵ１６は、合焦位置へフォーカシングレンズの移動が終了すると、ステップＳ１６で肯定判定して、本処理をステップＳ１７へ進める。これにより、遠景被写体４２にピントが合う（図４）。ＣＰＵ１６は、フォーカシングレンズの移動が終了しない場合はステップＳ１６で否定判定して、本処理をステップＳ１５へ戻す。
【００３４】
ステップＳ１７において、ＣＰＵ１６は、タイムアウトか否かを判定する。ＣＰＵ１６は、時刻ｔ３において開始した所定時間Ｃの計時が終了すると、ステップＳ１７で肯定判定して、本処理をステップＳ１８へ進める。ＣＰＵ１６は、計時時間Ｃの計時が終了しない場合には、ステップＳ１７で否定判定して当該判定処理を繰り返す。
【００３５】
ステップＳ１８において、ＣＰＵ１６は、バッファメモリ１８による画像データの蓄積を終了させて、本処理をステップＳ１９へ進める。ステップＳ１９において、ＣＰＵ１６は画像処理部１４へ指示を送り、バッファメモリ１８内に蓄積された画像データに基づいて後述するように静止画データを生成し、記録再生部１９にその静止画データをメモリカード５０へ記録させる。
【００３６】
ステップＳ２０において、ＣＰＵ１６は画像処理部１４へ指示を送り、バッファメモリ１８内に蓄積された画像データに基づいて後述するようにスローモーション動画データを生成し、記録再生部１９にそのスローモーション動画データをメモリカード５０へ記録させる。ＣＰＵ１６は、スローモーション動画データおよび静止画データを互いに関連づけて、記録再生部１９にスローモーション動画データおよび静止画データをメモリカード５０へ記録させると、図５による処理は終了する。静止画データは、後述するように、第１静止画データおよび第２静止画データを含む。
【００３７】
＜スローモーション動画データの生成＞
ＣＰＵ１６は、画像処理部１４へ指示を送り、バッファメモリ１８内に蓄積されている時刻ｔ２以前の所定時間Ａ（図２において例えば０．５秒とする）、時刻ｔ２から時刻ｔ３までの所定時間Ｂ（上述したように例えば１秒）、および時刻ｔ３から時刻ｔ４までの所定時間Ｃ（上述したように例えば０．５秒秒）にそれぞれ取得されたフレーム画像群に基づいて、２４フレーム／秒で再生するスローモーション動画データを画像処理部１４に生成させる。これにより、時間Ｔ(＝Ａ＋Ｂ＋Ｃ)＝２秒間に取得されたフレーム画像群に基づいて、再生時間が例えば５秒間のスローモーション動画データが得られる。
【００３８】
撮像素子１２から出力される画像データの画素数が、例えば３８４０画素（水平方向）×２１６０画素（垂直方向）の場合、画像処理部１４は、水平方向および垂直方向のそれぞれの画素数を１／２に縮小するリサイズ処理を施して得られた画像に所定の画像処理を行うことで、いわゆるハイビジョンサイズ（１９２０画素（水平方向）×１０８０画素（垂直方向））のスローモーション動画データを得る。
【００３９】
＜静止画データの生成＞
ＣＰＵ１６はさらに、画像処理部１４へ指示を送り、画像処理部１４は、バッファメモリ１８内に蓄積されている時刻ｔ２以前（すなわち全押し操作以前）の所定時間Ａに取得された複数フレームの画像群（近景被写体４１にピントが合っている複数フレームの画像群）の中から１フレームの画像を抽出することによって、３８４０画素（水平方向）×２１６０画素（垂直方向）の第１静止画データを得る。抽出される１フレームの画像は、例えば所定時間Ａの間に取得された画像群のうちの最終フレームの画像としてもよいし、或いは所定時間Ａの間に取得された画像群の中から所定の選定基準に基づいて抽出されたベストショット画像（所定時間Ａの中におけるベストショット画像）としてもよい。
【００４０】
さらにまた、ＣＰＵ１６は、画像処理部１４へ指示を送り、画像処理部１４は、バッファメモリ１８内に蓄積されている時刻ｔ３以降（すなわち全押し操作後）の所定時間Ｃに取得された複数フレームの画像群（遠景被写体４２にピントが合っている複数フレームの画像群）の中から１フレームの画像を抽出することによって、３８４０画素（水平方向）×２１６０画素（垂直方向）の第２静止画データを得る。抽出される１フレームの画像は、例えば所定時間Ｃに取得された画像群のうちの先頭フレームの画像としてもよいし、所定時間Ｃに取得された画像群の中から所定の選定基準に基づいて抽出されたベストショット画像としてもよい。
【００４１】
ＣＰＵ１６は、以上説明したように互いに関連づけてメモリカード５０へ記録されたスローモーション動画データ、第１静止画データおよび第２静止画データに基づく再生画像を液晶モニタ１５に再生表示させる。例えば、ＣＰＵ１６は、液晶モニタ１５に、第１静止画データに基づく生成画像を２秒間表示させ、スローモーション動画データに基づく動画を５秒間再生し、続く２秒間に第２静止画データに基づく生成画像を表示させる。
【００４２】
本実施形態では、記録再生部１９がスローモーション動画データ、第１静止画データおよび第２静止画データをメモリカード５０へ記録する第１記録方式と、記録再生部１９がスローモーション動画データおよび第１静止画データをメモリカード５０へ記録する第２記録方式と、記録再生部１９がスローモーション動画データおよび第２静止画データをメモリカード５０へ記録する第３記録方式とのうちのいずれかの記録方式が、操作部材２０からの操作信号に応じて、ＣＰＵ１６により選択され得る。本実施形態では、第１記録方式が選択されているものとして説明した。
【００４３】
以上説明した第一の実施形態によれば、次の作用効果が得られる。
（１）デジタルカメラ１は、撮影レンズ１１を介して被写体像を撮像する撮像素子１２からの撮像信号に基づく複数のフレーム画像を順次記憶するバッファメモリ１８と、静止画撮影指示に応じて撮影レンズ１１を駆動するレンズ駆動部２１と、静止画撮影指示のあった時刻ｔ２を含む所定時間Ｂの間にバッファメモリ１８によって記憶された複数のフレーム画像に基づいて、バッファメモリ１８によって単位時間に記憶される６０fpsより少ない２４fpsで時系列に再生されるスローモーション動画データを生成する画像処理部１４と、を備える。したがって、静止画の撮影タイミングに合わせて、自動的に印象的な映像効果を有する時系列画像を得ることができる。
【００４４】
（２）上記（１）のデジタルカメラ１において、画像処理部１４は、上記所定時間の間にバッファメモリ１８によって記憶された複数のフレーム画像に基づいて、少なくとも１つの静止画データを生成する。したがって、時系列画像とつながりが深い静止画が得られる。
【００４５】
（３）上記（２）のデジタルカメラ１において、画像処理部１４は、レンズ駆動部２１による撮影レンズ１１の駆動前の所定時間Ａにバッファメモリ１８によって記憶されたフレーム画像、および撮影レンズ１１の駆動後の所定時間Ｃにバッファメモリ１８によって記憶されたフレーム画像に基づいて、第１静止画データおよび第２静止画データのうちの少なくとも１つの静止画データを生成する。したがって、撮影レンズ１１の駆動前や駆動後の、時系列画像とつながりが深い静止画が得られる。
【００４６】
（４）上記（３）のデジタルカメラ１において、画像処理部１４によって生成される少なくとも１つの静止画データは２つの静止画データを含み、画像処理部１４は、レンズ駆動部２１による撮影レンズ１１の駆動前の所定時間Ａにバッファメモリ１８によって記憶されたフレーム画像に基づいて２つの静止画データのうちの第１静止画データを生成し、且つ撮影レンズ１１の駆動後にバッファメモリ１８によって記憶されたフレーム画像に基づいて２つの静止画データのうちの第２静止画データを生成する。したがって、撮影レンズ１１の駆動前や駆動後から時系列画像とつながりが深い静止画が得られる。
【００４７】
（５）上記デジタルカメラ１において、画像処理部１４により生成されたスローモーション動画データ及び画像処理部１４により生成された静止画データを、互いに関連付けてメモリカード５０に記録する記録再生部１９を備える。したがって、異なる画像データに対し、相互に関連性を持たせることができる。
【００４８】
（６）デジタルカメラ１において、レンズ駆動部２１は、静止画撮影指示に応じて撮影レンズ１１のフォーカシングレンズを駆動するので、ピント合わせ時の被写体像の変化が上記スローモーション動画に含まれる。これにより、印象的な映像効果を有する時系列画像を得ることができる。
【００４９】
（変形例１）
以上の説明では、シャッターボタンの半押し操作時に行われる１回目のＡＦ処理が近景の被写体４１を対象として行われ、シャッターボタンの全押し操作時に行われる２回目のＡＦ処理が遠景の被写体４２を対象として行われる例を説明した。この代わりに、シャッターボタンの半押し操作時に行われる１回目のＡＦ処理が遠景の被写体４２を対象として行われ、シャッターボタンの全押し操作時に行われる２回目のＡＦ処理が近景の被写体４１を対象として行われるようにしてもよい。
【００５０】
（変形例２）
また、シャッターボタンの半押し操作時に行われる１回目のＡＦ処理を省略し、シャッターボタンの全押し操作時にのみＡＦ処理が行われることとしてもよい。変形例２の場合、時刻ｔ２以前（すなわち全押し操作以前）の所定時間Ａにおいては、画面全体がぼけた状態で複数フレームの画像群がバッファメモリ１８によって蓄積される。時刻ｔ３以降（すなわち全押し操作後）の所定時間Ｃにおいては、所定の被写体にピントが合った状態で複数フレームの画像群がバッファメモリ１８によって蓄積される。
【００５１】
変形例２によれば、画面全体がぼけた状態から、所定被写体に次第にピントが合う印象的な映像効果を有する動画データを容易に得ることができる。
【００５２】
（第二の実施形態）
上記第一の実施形態では、フォーカス位置の移動中に撮影された動画がスローモーション動画となる。第二の実施形態では、ズーム動作中に撮影された動画がスローモーション動画になる。すなわち、第二の実施形態では、シャッターボタンの半押し操作時（図２の時刻ｔ１）においてＡＦ処理が行われ、シャッターボタンが全押し操作されるとズーム駆動（画角変更）が行われる（図２の時刻ｔ２〜ｔ３）。
【００５３】
図６に例示するフローチャートを参照して第二の実施形態によるデジタルカメラ１のＣＰＵ１６が実行する処理の流れを説明する。図６において、図５に例示したフローチャートと同様の処理に対しては同じステップ番号を付して、同じステップ番号が付された処理の説明を省略する。図６の処理は、図５の処理と比べてステップＳ１２Ｂ、ステップＳ１５Ｂ、およびステップＳ１６Ｂが異なるので、これらの相違点を中心に説明する。
【００５４】
ＣＰＵ１６は、スロー動画撮影モードに切替え操作されると、図６の処理を行うプログラムを繰り返し実行する。第二の実施形態においても、液晶モニタ１５がライブビュー画像を表示中に、ＣＰＵ１６は、ＡＦ処理の対象としてフォーカス検出ポイントが設定される操作を受け付ける。フォーカス検出ポイントの設定操作は、図７に例示するように、液晶モニタ１５によって表示されるライブビュー画像上でフォーカス検出ポイントを示すマークＭ１の位置が移動することによって行われる。マークＭ１の位置は、例えば操作部材２０に含まれる十字キー（不図示）の操作方向に応じて移動可能である。図７は、液晶モニタ１５に表示されるマークＭ１を例示する図である。本実施形態では、フォーカス検出ポイントが、例えば主要被写体４２上に設定される。
【００５５】
図６のステップＳ１２Ｂにおいて、ＣＰＵ１６は、ＡＦ処理を開始し、主要被写体４２に合焦したか否かを判定する。ＣＰＵ１６は、合焦位置へフォーカシングレンズの移動が終了すると、ステップＳ１２Ｂで肯定判定して、本処理をステップＳ１３へ進める。これにより、主要被写体４２にピントが合う（図７）。ＣＰＵ１６は、フォーカシングレンズの移動が終了しない場合はステップＳ１２Ｂで否定判定して当該判定処理を繰り返す。
【００５６】
ステップＳ１５Ｂにおいて、ＣＰＵ１６はレンズ駆動部２１に指示を送り、レンズ駆動部２１にズームレンズを駆動させて、本処理をステップＳ１６Ｂへ進める。この場合のズームレンズの移動量（画角の変更幅）は、例えば、移動後（ズームイン後）の画角が移動前（ズームイン前）の画角に比べて１／２画角に対応するズームレンズ位置へズームレンズが移動するようにあらかじめ定められている。また、所定時間Ｂ（例えば１秒間）内でズームレンズの移動速度が略一定である線形駆動が行われることとしてもよいし、所定時間Ｂの中程で速度が高まり、所定時間Ｂの開始時点と終了時点とで低速である非線形駆動（いわゆるＳ字特性駆動）が行われることとしてもよい。
【００５７】
ステップＳ１６Ｂにおいて、ＣＰＵ１６は、画角か所定の画角か否かを判定する。ＣＰＵ１６は、移動後の画角か移動前に比べて１／２の画角に対応するズームレンズ位置へズームレンズの移動が終了すると、ステップＳ１６Ｂで肯定判定して、本処理をステップＳ１７へ進める。これにより、主要被写体４２がズームアップされる（図８）。ＣＰＵ１６は、ズームレンズの移動が終了しない場合はステップＳ１６Ｂで否定判定して、本処理をステップＳ１５Ｂへ戻す。
【００５８】
＜静止画データ＞
第二の実施形態では、画像処理部１４は、バッファメモリ１８内に蓄積されている時刻ｔ２以前（すなわち全押し操作以前）の所定時間Ａに取得された複数フレームの画像群（ズームインされる前）の中から１フレーム分の画像を抽出して、３８４０画素（水平方向）×２１６０画素（垂直方向）の第１静止画データを得る。抽出される１フレームの画像は、例えば所定時間Ａに取得された画像群のうち最終フレームの画像としてもよいし、所定時間Ａに取得された画像群の中から所定の選定基準に基づいて抽出されたベストショット画像としてもよい。
【００５９】
さらにまた、ＣＰＵ１６は、画像処理部１４へ指示を送り、画像処理部１４は、バッファメモリ１８内に蓄積されている時刻ｔ３以降（すなわち全押し操作後）の所定時間Ｃに取得された複数フレームの画像群（ズームインされた後）の中から１フレーム分の画像を抽出して、３８４０画素（水平方向）×２１６０画素（垂直方向）の第２静止画データを得る。抽出される１フレームの画像は、例えば所定時間Ｃに取得された画像群のうち先頭フレームの画像としてもよいし、所定時間Ｃに取得された画像群の中から所定の選定基準に基づいて抽出されたベストショット画像としてもよい。
【００６０】
ＣＰＵ１６は、以上説明したように互いに関連づけてメモリカード５０へ記録されたスローモーション動画データ、第１静止画データおよび第２静止画データに基づく再生画像を液晶モニタ１５に再生表示させる。例えば、ＣＰＵ１６は、液晶モニタ１５に、第１静止画データに基づく生成画像を２秒間表示させ、続いてスローモーション動画データに基づく動画を５秒間再生し、さらに第２静止画データに基づく生成画像を２秒間表示させる。なお、第二の実施形態の場合も、第１記録方式が選択されているものとして説明した。
【００６１】
以上説明した第二の実施形態によれば、次の作用効果が得られる。
（１）デジタルカメラ１は、撮影レンズ１１を介して被写体像を撮像する撮像素子１２からの撮像信号に基づく複数のフレーム画像を順次記憶するバッファメモリ１８と、静止画撮影指示に応じて撮影レンズ１１を駆動するレンズ駆動部２１と、静止画撮影指示のあった時刻ｔ２を含む所定時間Ｂの間にバッファメモリ１８によって記憶された複数のフレーム画像に基づいて、バッファメモリ１８によって単位時間に記憶される６０fpsより少ない２４fpsで時系列に再生されるスローモーション動画データを生成する画像処理部１４と、を備える。したがって、静止画の撮影タイミングに合わせて、自動的に印象的な映像効果を有する時系列画像を得ることができる。
【００６２】
（２）デジタルカメラ１において、レンズ駆動部２１は、静止画撮影指示に応じて撮影レンズ１１のズームレンズを駆動するので、変倍時の被写体像の変化が上記スローモーション動画に含まれる。これにより、印象的な映像効果を有する時系列画像を得ることができる。
【００６３】
（変形例３）
第二の実施形態では、シャッターボタンが全押し操作されると（図２の時刻ｔ２〜ｔ３）、ズームイン駆動が行われる。この代わりに、先にズームインされた状態から、シャッターボタンが全押し操作されると（図２の時刻ｔ２〜ｔ３）ズームアウト駆動が行われるようにしてもよい。
【００６４】
（変形例４）
ズームイン後の画角が、ズームイン前の画角に対して１／２へ変更される例を説明したが、画角の変更幅はズームイン前の画角に対して１／２に限られなくてもよい。また、画角の変更幅をＣＰＵ１６が自動的に決定するようにしてもよい。画角変更幅を自動的に決定する場合のＣＰＵ１６は、例えば、ズームイン前のライブビュー画像（例えば、図７）において人物の「顔」検出処理を行い、検出結果に基づいてズームインに必要な画角の変更幅（ズームレンズの移動量）を決定する。
【００６５】
ＣＰＵ１６は、例えば、検出した「顔」領域が撮影画面に占める割合や、「顔」領域のサイズに応じて、ズームインに必要な画角の変更幅を決定する。その変更幅の決定方法の一例として、以下にＣＰＵ１６による画角変更幅の決定シーケンスを述べる。その決定シーケンスにおいては、撮影画面内で検出された「顔」領域の一部または全部が、ズームレンズのズーミング（ズームイン）動作によって撮影画面から外れる直前まではズーミング動作が許可されるように設定される。そして、その許可されているズーミング動作範囲において、「顔」領域が最大となるズームレンズの移動量を、ＣＰＵ１６が画角変更幅として決定する。なお、「顔」検出処理は、肌色部分や目鼻口等の顔を形成する特徴部、輪郭等が検出されることによって行われるが、これらの検出手法は公知であるので説明を省略する。
【００６６】
（変形例５）
上記各実施形態では、撮像素子１２からの撮像信号に基づく複数のフレーム画像が順次（時系列に）バッファメモリ１８によってバッファリングされている最中に、レンズ駆動部２１が撮影レンズ１１のフォーカシングレンズやズームレンズを駆動する。それにより得られた時系列画像からスローモーション動画が画像処理部１４によって生成される。他の撮影条件（露光条件）が変更されても良い。例えば、時系列に得られる複数のフレーム画像がバッファメモリ１８によってバッファリングされている最中に、露出値や或いはホワイトバランス値などの「他の撮影条件（露光条件）」が変更されても良い。上記「他の撮影条件」は、バッファリングされる１フレーム毎に変更されるようにしても良いし、あるいは所定フレームおきに変更されるようにしても良い。また、露出値の変更方向については、露出オーバー方向に変更されても良いし、逆に露出アンダー方向に変更されても良い。この「他の撮影条件」の変更に関して、変更の時期（何フレームおきに変更するか）、変更方向（露出オーバー方向または露出アンダー方向）、および変更幅（白とび、または黒つぶれの度合い）などの設定値を、予めデジタルカメラ１内に記憶されているドラフト値に基づいてＣＰＵ１６が設定しても良いし、或いはユーザーがメニュー画面で任意に設定できるようにしても良い。
【００６７】
また、撮影レンズ１１側に含まれている、絞り開口の大きさを規定する絞り羽根が駆動されることによって露出値が変更されるようにしても良いし、撮像素子１２の撮像感度が変更されることによって露出値が変更されるようにしても良いし、或いは撮像素子の電子シャッター速度が変更されることによって露出値が変更されるようにしても良い。露出値を変更するためには、上記３つの手法の何れかを適宜適用すれば良い。例えば、電池残量が少ない場合には、相対的に電力消費量の大きい「絞り羽根駆動」以外の２手法の何れかが適用される。被写体の動きが激しい場合には、撮像された複数のフレーム画像間の連続性の点で「電子シャッター速度の変更（画素の蓄積時間の変更）」は他の２手法より劣る。したがって、この場合には、「電子シャッター速度の変更（画素の蓄積時間の変更）」以外の２手法の何れかを適用するようにする。
【００６８】
また、上述の他の撮影条件（露出値やホワイトバランス値）は、フォーカシングレンズやズームレンズの駆動とは独立に変更されるようにしても良い。或いはフォーカシングレンズやズームレンズが駆動されるのと並行して、上述の他の撮影条件（露出値やホワイトバランス値）が徐々に変更されるようにしても良い。フォーカシングレンズやズームレンズが駆動されるのと並行して上記他の撮影条件が変更される際には、それらが同時に、或いは部分的に並行して変更されるようにしても良い。
【００６９】
例えば、時系列に得られる複数のフレーム画像がバッファメモリ１８によってバッファリング（一時記憶）されている最中に、ＣＰＵ１６がレンズ駆動部２１にズームレンズをズームイン駆動させ、そのズームイン駆動の終了間際からＣＰＵ１６が露出値を段々とオーバー方向に変更させるのと並行してバッファリングが終了する。つまりこの場合、画像のバッファリング中に、最初はズームレンズのみが駆動される期間があり、次にズームレンズの駆動と露出値の変更とが並列的に行われる期間があり、最後に露出値の変更のみが行われる期間がある。このようにしてバッファメモリ１８によってバッファリングされた複数の画像から生成されたスローモーション動画は、初期段階での広角で撮影された画像から徐々にズームインしていき、ズームイン終了間際から画面が徐々に白くなっていき、ズームイン終了後も画面の白さの度合いが増して、あたかも画面が白くフェードアウトしていく、というような、印象的なスローモーション動画とすることができる。
【００７０】
なお、上記では、撮影レンズ１１（ズームレンズ）の駆動動作（ズームイン）が開始された後に他の撮影条件の変更が開始されるものとして説明したが、撮影レンズの駆動動作開始前に他の撮影条件の変更が開始されるようにしても良いし、或いは撮影レンズ１１の駆動動作と他の撮影条件の変更とが同時に開始されるようにしても良い。また、他の撮影条件の変更として、露出値とホワイトバランス値との何れか一方のみが変更されるのではなく、両方とも変更されるようにしても良い。
【００７１】
（第三の実施形態）
第三の実施形態では、第一の実施形態と比べて、フォーカス位置の移動先をデジタルカメラ１が自動的に見つける点が異なる。すなわち、第一の実施形態では、ＣＰＵ１６が、フォーカス位置の移動時に移動元となる第１フォーカス検出ポイント、およびフォーカス位置の移動先となる第２フォーカス検出ポイントをそれぞれユーザー操作に基づいて決定した。これに対し、第三の実施形態では、ＣＰＵ１６は、フォーカス位置の移動元となる第１フォーカス検出ポイントのみをユーザー操作に基づいて決定し、フォーカス位置の移動先となる第２フォーカス検出ポイントをユーザー操作に基づかずに自動的に決定する。
【００７２】
＜ピント合わせおよび先撮り＞
ＣＰＵ１６は、スロー動画撮影モードにおいては、フォーカス位置を移動しながら時系列に得られる複数のフレーム画像をバッファメモリ１８に一時記憶させる。スロー動画撮影モードに切替えられると、ＣＰＵ１６は液晶モニタ１５にライブビュー画像表示を開始させる。なお、ライブビュー画像表示の際に、撮影レンズ１１に含まれる絞りを所定値まで絞り込むことによって被写界深度が深くなると、近景から遠景まで像ぼけが少ないライブビュー画像が得られる。しかしながら、一般に、後述する人物の「顔」検出処理は、像ぼけの有無にかかわらず検出可能であるため、必ずしもライブビュー画像の被写界深度が深くなる必要はない。
【００７３】
ＣＰＵ１６は、ライブビュー画像に基づいて人物の「顔」検出処理を行い、検出した「顔」の位置情報をバッファメモリ１８に記憶させておく。図９は、第三の実施形態によるデジタルカメラ１において液晶モニタ１５に表示されるライブビュー画像を例示する図である。図９の例では、人物５２および人物５３の「顔」が存在するので、ＣＰＵ１６は２つの「顔」の位置情報をバッファメモリ１８に記憶させておく。
【００７４】
液晶モニタ１５がライブビュー画像を表示中、ＣＰＵ１６はさらに、シャッターボタンの半押し操作時に行われる１回目のＡＦ処理の対象として第１フォーカス検出ポイントが設定される操作が行われると、その操作を受け付ける。第１フォーカス検出ポイントの設定は、第一の実施形態の場合と同様に、液晶モニタ１５によって表示されるライブビュー画像上で第１フォーカス検出ポイントを示すマークＭ１を移動させることによって行われる。図９は、第１フォーカス検出ポイントの設定を説明する図である。本実施形態では、近景被写体５１上においてマークＭ１の位置に、第１フォーカス検出ポイントが設定される。マークＭ１の位置は、フォーカス位置の移動元に対応する。
【００７５】
図２の時刻ｔ１においてユーザーによってシャッターボタンが半押し操作されると（スイッチＳ１オン）、ＣＰＵ１６は、上記第１フォーカス検出ポイントに対応するフォーカス検出用画素からの出力信号を用いて１回目のＡＦ処理を行う。具体的には、ＣＰＵ１６は、第１フォーカス検出ポイント（図９のマークＭ１の位置）に対応するフォーカス検出用画素からの出力信号を使ってＡＦ演算によりフォーカシングレンズ駆動量（デフォーカス量）を演算する。ＣＰＵ１６は、そのデフォーカス量に基づいて撮影レンズ１１のフォーカシングレンズをレンズ駆動部２１に駆動させることによって、図９に例示した近景被写体５１にピントを合わせる。
【００７６】
ＣＰＵ１６はさらに、バッファメモリ１８によって記憶されている「顔」の位置情報に対応するフォーカス検出用画素からの出力信号を用いてＡＦ演算を行い、この演算で得られるフォーカシングレンズ駆動量（デフォーカス量）を算出する。ＣＰＵ１６は、例えば、検出している複数の「顔」のうち、デフォーカス量が最小である人物５２の「顔」（すなわち、デジタルカメラ１に近い人物５２の「顔」）の位置に、ライブビュー画像上で枠Ｍ２が表示されるように液晶モニタ１５を制御し、枠Ｍ２の位置に、第２フォーカス検出ポイントを設定する。本実施形態では、枠Ｍ２の位置がフォーカス位置の移動先に対応する。
【００７７】
ＣＰＵ１６は、近景被写体５１を対象に演算したデフォーカス量に基づく合焦位置へのフォーカシングレンズの移動が終了すると、バッファメモリ１８に対して撮像素子１２によって取得された画像データの記録（蓄積）を開始させる。これにより、６０フレーム／秒(60fps)のフレームレートで得られたフレーム画像が、逐次バッファメモリ１８に蓄積される。蓄積されるフレーム画像のピクセル数は、例えば３８４０（水平）×２１６０（垂直）である。
【００７８】
＜異なる被写体にピント合わせ＞
図２の時刻ｔ２において、ユーザーによってシャッターボタンが全押し操作されると（スイッチＳ２オン）、ＣＰＵ１６は、２回目のＡＦ処理を行う。具体的には、ＣＰＵ１６は、枠Ｍ２の位置にある上記人物５２の「顔」に対して算出されているデフォーカス量に基づいて撮影レンズ１１のフォーカシングレンズをレンズ駆動部２１に駆動させることによって、図１０に例示した人物５２にピントを合わせる。図１０は、第２フォーカス検出ポイントに対するピント合わせを説明する図である。このとき、本実施の形態では近景被写体５１が被写界深度から外れ、近景被写体５１にピントが合わない。本実施形態におけるフォーカス位置の移動動作（近景被写体５１に対する合焦状態から、人物５２に対する合焦状態への状態変化）は、時刻ｔ２に開始して、時刻ｔ２からｔ３までの間にＣＰＵ１６がレンズ駆動部２１にフォーカスレンズを継続駆動させることによって行われる。このフォーカス位置の変更動作中も、撮像素子１２による撮影動作、およびバッファメモリ１８による画像データの一次記憶（蓄積）動作は継続して行われる。本実施形態では、時刻ｔ２からｔ３までの所定時間Ｂを、例えば１秒とする。
【００７９】
＜後撮り＞
ＣＰＵ１６は、人物５２を対象に演算したデフォーカス量に基づく合焦位置へのフォーカシングレンズの移動が終了すると、時刻ｔ３においてＣＰＵ１６内部のタイマー回路（不図示）による計時を開始させる。ＣＰＵ１６は、タイマー回路による所定時間Ｃ（例えば０．５秒間）の計時が終了する時刻ｔ４において、バッファメモリ１８による画像データの蓄積を終了させる。
【００８０】
以上説明した第三の実施形態によれば、次の作用効果が得られる。
（１）デジタルカメラ１は、撮影レンズ１１を介して被写体像を撮像する撮像素子１２からの撮像信号に基づく複数のフレーム画像を順次記憶するバッファメモリ１８と、静止画撮影指示に応じて撮影レンズ１１を駆動するレンズ駆動部２１と、静止画撮影指示のあった時刻ｔ２を含む所定時間Ｂの間にバッファメモリ１８によって記憶された複数のフレーム画像に基づいて、時系列に再生されるスローモーション動画データを生成する画像処理部１４と、を備える。したがって、静止画の撮影タイミングに合わせて、自動的に印象的な映像効果を有する時系列画像を得ることができる。
【００８１】
（２）上記（１）のデジタルカメラ１において、画像処理部１４は、バッファメモリ１８によって単位時間に記憶される６０fpsより少ない２４fpsで再生するスローモーション動画データを生成する。したがって、印象的な映像効果を有する時系列画像を得ることができる。
【００８２】
（３）上記デジタルカメラ１において、フォーカス位置の移動先となる第２フォーカス検出ポイントをＣＰＵ１６が自動的に決定する。したがって、ＣＰＵ１６がユーザー操作に基づいて決定する場合に比べて、ユーザー操作の手間を減らすことができる。
【００８３】
（４）上記デジタルカメラ１において、ＣＰＵ１６は、１回目のＡＦ処理に用いたライブビュー画像から、２回目のＡＦ処理で用いるデフォーカス量を求める。したがって、ＣＰＵ１６は、フォーカス位置の移動元のデフォーカス量とフォーカス位置の移動先のデフォーカス量とを１つの画像から求められる。別々の画像から求める場合に比べて、処理時間を短縮できる。
【００８４】
（変形例６）
第三の実施形態において複数の主要被写体（人物の「顔」）が存在する場合に、フォーカス位置が主要被写体間を順番に移動してもよい。変形例６のＣＰＵ１６は、ユーザーによるシャッターボタンの全押し操作（スイッチＳ２オン）に応じて２回目のＡＦ処理が行われる際、２つの「顔」のうちデフォーカス量が小さい人物５２の「顔」（すなわち、デジタルカメラ１に近い人物５２の「顔」）の位置に一旦ピントを合わせ、次にデフォーカス量が大きい人物５３の「顔」（すなわち、デジタルカメラ１から遠い人物５３の「顔」）の位置にピントを合わせる。
【００８５】
変形例６によれば、時刻ｔ２から時刻ｔ３までの間にフォーカス位置が移動しながら複数フレームの画像が順次（時系列に）バッファメモリ１８によって一時記憶される際、画面に含まれる主要被写体に順番にピントが合うようにフォーカス位置が移動する。このフォーカス位置の変更動作中も、撮像素子１２による撮影動作、およびバッファメモリ１８による画像データの一時記憶は継続して行われる。したがって、印象的な映像効果を有する時系列画像を得ることができる。
【００８６】
（変形例７）
変形例６において画面に含まれる複数の主要被写体（人物の「顔」）領域の間で、露出値やホワイトバランス値などの「他の撮影条件（露光条件）」が異なる場合がある。そこで、変形例７のＣＰＵ１６は、上記フォーカス位置の移動に合わせて（すなわち、異なる「顔」に一旦ピントを合わせるタイミングで）、ピントが合わせられる「顔」領域を基準に上記「他の撮影条件」を変更する。つまり、ＣＰＵ１６は、ピントが合わせられる「顔」に対して露出が適正になる露出値に変更し、ピントが合わせられる「顔」に適したホワイトバランス値に変更する。
【００８７】
また、ＣＰＵ１６は、異なる「顔」に一旦ピントが合わせられるタイミングで上記「他の撮影条件」を変更する代わりに、バッファメモリ１８によって一時記憶される１フレーム毎に、上記「他の撮影条件」を徐々に変更してもよい。なお、ＣＰＵ１６は、異なる「顔」に一旦ピントが合わせられるタイミングで上記「他の撮影条件」を変更するモードと、バッファメモリ１８によって一時記憶される１フレーム毎に上記「他の撮影条件」を徐々に変更するモードとをユーザー操作に基づいて選択してもよい。
【００８８】
（変形例８）
第三の実施形態において複数の主要被写体（人物の「顔」）が存在する場合に、ＣＰＵ１６が自動で見つけるフォーカス位置の移動方向は、ユーザー操作に基づいて切替えられることとしてもよい。例えば、ＣＰＵ１６が自動で見つけるフォーカス位置の移動方向が「現在のフォーカス位置から近い被写体」に切替えられたとき、ＣＰＵ１６は、変形例６と同様に、現在のフォーカス位置（近景被写体５１）から最も近い主要被写体（人物５２の「顔」）へフォーカス位置を移動させる。「現在のフォーカス位置から最も近い」とは、主要被写体に対するデフォーカス量が、近景被写体５１に対するデフォーカス量と近い値を有するという意味である。
【００８９】
また、現在のフォーカス位置が主要被写体（人物５２の「顔」）であった場合に、ＣＰＵ１６が自動で見つけるフォーカス位置の移動方向が「至近優先」に切替えられたとき、ＣＰＵ１６は、デジタルカメラ１から最も近い被写体（図９の例では近景被写体５１）へフォーカス位置を移動させる。「デジタルカメラ１から最も近い」とは、最もデジタルカメラ１側に存在するという意味である。
【００９０】
上述した第一の実施形態〜第三の実施形態では、フォーカス位置の移動中またはズーム位置の移動中に所定のフレームレートで取得された画像群に基づいて、スローモーション動画が生成される。画像群は、「動画」用に取得される場合に限らず、静止画の撮影を繰り返し行う「連写」や「間欠撮影」によって取得されてもよい。
【００９１】
また、フォーカス位置の移動中またはズーム位置の移動中に取得される画像群からスロー再生する動画が生成されるようにしたが、この代わりに、フォーカス位置の移動中またはズーム位置の移動中に取得される画像群から、取得時および再生時のフレームレートが同じである通常再生がなされる動画や、取得時より再生時のフレームレートの方が早い早送り再生がなされる動画を生成してもよい。
【００９２】
さらにまた、フォーカス位置の移動中またはズーム位置の移動中に取得される画像群から、フレーム画像が１つずつスライドショー再生されるようにしてもよい。
【００９３】
（変形例９）
上述した第一の実施形態〜第三の実施形態、および各変形例は、適宜組み合わされてもよい。例えば、時系列に得られる複数のフレーム画像がバッファメモリ１８によってバッファリングされている最中に、フォーカシングレンズとズームレンズとが同時に、或いは部分的に並行して駆動されても良い。
【００９４】
以上の説明はあくまで一例であり、上記の実施形態の構成に何ら限定されるものではない。上記所定時間Ａ、所定時間Ｂ、および所定時間Ｃの値は、適宜変更されてもよく、例えば液晶モニタ１５によって表示される設定メニュー画面上でユーザー操作によって変更可能にしても構わない。
【符号の説明】
【００９５】
１…デジタルカメラ
１１…撮影レンズ
１２…撮像素子
１４…画像処理部
１５…液晶モニタ
１６…ＣＰＵ
１８…バッファメモリ
１９…記録再生部
２０…操作部材
２１…レンズ駆動部
５０…メモリカード
【図１】
0005447619.tif 000002
【図２】
0005447619.tif 000003
【図３】
0005447619.tif 000004
【図４】
0005447619.tif 000005
【図５】
0005447619.tif 000006
【図６】
0005447619.tif 000007
【図７】
0005447619.tif 000008
【図８】
0005447619.tif 000009
【図９】
0005447619.tif 000010
【図１０】
0005447619.tif 000011